【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
情報処理装置と通信が可能な画像処理装置であって、
前記情報処理装置に複数の画像データを送信する送信手段と、
前記情報処理装置が前記画像データを表示する際の負荷を特定する特定手段と、
前記負荷に基づき、前記送信手段が送信する画像データのサイズまたはフレームレートを決定する決定手段とを有することを特徴とする画像処理装置。
【請求項２】
前記特定手段は、前記情報処理装置が前記画像データを表示するのに要する時間を前記負荷として特定することを特徴とする請求項１に記載の画像処理装置。
【請求項３】
前記情報処理装置の表示部への前記画像データの表示が完了したことを示す表示完了通知を前記情報処理装置から受信する受信手段を更に有し、
前記特定手段は、前記情報処理装置が前記画像データを表示するのに要する時間を、前記表示完了通知に応じて前記負荷として特定することを特徴とする請求項１または２に記載の情報処理装置。
【請求項４】
前記特定手段は、前記送信手段が前記情報処理装置へ前記画像データの送信を開始してから、前記受信手段が前記表示完了通知を受信するまでの時間を特定することを特徴とする請求項３に記載の画像処理装置。
【請求項５】
前記受信手段は更に、前記情報処理装置が前記画像データを受信し終えたことを示す受信完了通知を前記情報処理装置から受信し、
前記特定手段は更に、前記受信手段が前記受信完了通知を前記情報処理装置から受信してから、前記表示完了通知を前記情報処理装置から受信するまでの時間である描画時間を特定することを特徴とする請求項３に記載の画像処理装置。
【請求項６】
前記特定手段は更に、前記送信手段が前記情報処理装置へ前記画像データの送信を開始してから、前記受信手段が前記受信完了通知を前記情報処理装置から受信するまでの時間である転送時間を特定し、
前記決定手段は、前記描画時間および前記転送時間に基づき前記送信手段が送信する画像データのサイズまたはフレームレートを決定し、
前記送信手段が送信する画像データのサイズが前記転送時間に基づき決定されたサイズに変更される場合、前記画像データの圧縮率、色数、解像度のうち、少なくとも一つが変更されることにより、前記画像データのサイズが変更され、
前記送信手段が送信する画像データのサイズが前記描画時間に基づき決定されたサイズに変更される場合、前記画像データのパラメータのうち、前記描画時間に影響を与えるパラメータが変更されることにより、前記画像データのサイズが変更されることを特徴とする請求項５に記載の画像処理装置。
【請求項７】
前記転送時間が第１の時間未満である場合、前記画像データは、前記転送時間に基づくサイズに変更されないことを特徴とする請求項６に記載の画像処理装置。
【請求項８】
前記描画時間が第２の時間未満である場合、前記画像データは、前記描画時間に基づくサイズに変更されないことを特徴とする請求項６または７に記載の画像処理装置。
【請求項９】
前記特定手段は、前記表示完了通知を受信するたびに前記情報処理装置が前記画像データを表示する際の負荷を特定することを特徴とする請求項３乃至８のいずれか１項に記載の画像処理装置。
【請求項１０】
前記決定手段は、前記特定手段により特定された負荷が所定の負荷よりも低い場合が所定の回数連続した場合に、前記負荷に基づき、前記送信手段でさらに送信する画像データのサイズまたはフレームレートを決定することを特徴とする請求項９に記載の画像処理装置。
【請求項１１】
前記受信手段は更に、前記情報処理装置においてアプリケーションが起動または終了したことを示す通知を前記情報処理装置から受信し、
前記特定手段は、前記情報処理装置においてアプリケーションが起動または終了したことを示す通知を受信するたびに前記情報処理装置が前記画像データを表示する際の負荷を特定することを特徴とする請求項３乃至８のいずれか１項に記載の画像処理装置。
【請求項１２】
前記送信手段でさらに送信する画像データのサイズが変更される場合、前記画像データの圧縮率、色数、解像度のうち、少なくとも一つが変更されることにより、前記画像データのサイズが変更されることを特徴とする請求項１乃至５のいずれか１項に記載の画像処理装置。
【請求項１３】
被写体を撮像することにより、複数の画像データを生成する撮像手段を更に有し、
前記特定手段は、前記受信手段による表示完了通知の受信に基づき、前記情報処理装置の表示部のフレームレートを特定し、
前記撮像手段は、前記特定手段により特定されたフレームレートに基づくフレームレートで前記画像データを順次生成することを特徴とする請求項４乃至１２のいずれか１項に記載の画像処理装置。
【請求項１４】
前記サイズまたは前記フレームレートの変更を行うか否かをユーザに選択させるための画面を前記情報処理装置の表示部に表示させる手段をさらに有することを特徴とする請求項１乃至１３のいずれか１項に記載の画像処理装置。
【請求項１５】
前記送信手段で送信する画像データのサイズまたはフレームレートをユーザに設定させるための画面を前記情報処理装置の表示部に表示させる手段をさらに有し、
前記画像データのサイズまたはフレームレートがユーザ操作により設定された場合、前記送信手段は、前記決定手段による決定にかかわらず、前記ユーザ操作により設定されたサイズまたはフレームレートで前記画像データを送信することを特徴とする請求項１乃至１４のいずれか１項に記載の画像処理装置。
【請求項１６】
前記送信手段で送信する画像データの画質をユーザに設定させるための画面を前記情報処理装置の表示部に表示させる手段をさらに有し、
前記送信手段は、前記画像データの画質がユーザ操作により設定された場合、前記受信手段による表示完了通知の受信に関わらず、前記ユーザ操作により設定された画質で前記画像データを送信することを特徴とする請求項１乃至１４のいずれか１項に記載の画像処理装置。
【請求項１７】
情報処理装置と通信が可能な画像処理装置の制御方法であって、
前記情報処理装置に複数の画像データを送信する送信ステップと、
前記情報処理装置が前記画像データを表示する際の負荷を特定する特定ステップと、
前記負荷に基づき、前記送信ステップで送信する画像のサイズまたはフレームレートを決定する決定ステップとを有することを特徴とする画像処理装置の制御方法。
【請求項１８】
コンピュータを、請求項１乃至１６のいずれか１項に記載の情報処理装置の各手段として機能させるためのコンピュータが読み取り可能なプログラム。
【手続補正２】
【補正対象書類名】明細書
【補正対象項目名】０００６
【補正方法】変更
【補正の内容】
【０００６】
そこで本発明は、情報処理装置が画像データを表示する際の能力に基づき、効率的なデータ転送を行うことを目的とする。
【手続補正３】
【補正対象書類名】明細書
【補正対象項目名】０００７
【補正方法】変更
【補正の内容】
【０００７】
上記目的を達成するために、本発明に係る画像処理装置は、情報処理装置と通信が可能な画像処理装置であって、前記情報処理装置に複数の画像データを送信する送信手段と、前記情報処理装置が前記画像データを表示する際の負荷を特定する特定手段と、前記負荷に基づき、前記送信手段が送信する画像データのサイズまたはフレームレートを決定する決定手段とを有することを特徴とする。
【手続補正４】
【補正対象書類名】明細書
【補正対象項目名】０００８
【補正方法】変更
【補正の内容】
【０００８】
本発明によれば、情報処理装置が画像データを表示する際の能力に基づき、効率的なデータ転送を行うことが可能となる。
【手続補正５】
【補正対象書類名】明細書
【補正対象項目名】００５４
【補正方法】変更
【補正の内容】
【００５４】
次にステップＳ３０４にて描画時間Ｔｙと描画時間の閾値であるＴｂとの比較を行い、描画時間Ｔｙが閾値Ｔｂ以上の場合は処理をステップＳ３０５に進める。描画時間Ｔｙが閾値Ｔｂ未満の場合は次の画像データの送信待ち状態となり、Ｔ２０６における送信要求を待つ。
【手続補正６】
【補正対象書類名】図面
【補正対象項目名】図３
【補正方法】変更
【補正の内容】
【図３】
2011004155.tif 000001